(57)【要約】【課題】  化粧鏡を閉じたまま電気機器を使用することができ、猶且つ外観及び安全面上好ましいミラーキャビネットを提供すること。【解決手段】  天板と、側板と、背板と、底板とを備えた収納空間を有する収納部と、前記収納部の前面に開閉可能に設けられた鏡扉とを備えたミラーキャビネットであって、前記ミラーキャビネットは、前記収納部に第一の配電機器を備え、前記収納部は、前記鏡扉が閉じた状態において、前記ミラーキャビネットの外方に向けて開口した開口部を備えるよう構成されている。【選択図】  図２
2009131433.tif 000002
【特許請求の範囲】
【請求項１】
天板と、側板と、背板と、底板とを備えた収納空間を有する収納部と、
前記収納部の前面に開閉可能に設けられた鏡扉と
を備えたミラーキャビネットであって、
前記ミラーキャビネットは、前記収納部に第一の配電機器を備え、
前記収納部は、前記鏡扉が閉じた状態において、
前記ミラーキャビネットの外方に向けて開口した開口部を備える
ことを特徴とするミラーキャビネット。
【請求項２】
前記収納空間は、
仕切り部材によって複数の収納空間に区切られており、
前記開口部は、
前記複数の収納空間のうち、
前記第一の配電機器が備えられた収納空間に設けられている
ことを特徴とする請求項１に記載のミラーキャビネット。
【請求項３】
前記複数の収納空間の一部に第二の配電機器を備え、
前記第二の配電機器を備えた収納空間は、
前記鏡扉が閉じた状態において、
少なくとも前面と底面を囲まれている
ことを特徴とする請求項１乃至２に記載のミラーキャビネット。
【発明の詳細な説明】
【技術分野】
【０００１】
本発明は、ミラーキャビネットに関する。
【背景技術】
【０００２】
鏡と、鏡の背面側に収納部を備えたキャビネットは、現在広く用いられている。そのようなキャビネットもしくはそのようなキャビネットを備えた洗面化粧台において、電力を供給するためのコンセントに着目した提案がなされている（例えば下記特許文献１、特許文献２参照）。下記特許文献１に記載された洗面化粧台は、スイッチ取付板にスイッチやコンセントのような配線器具の一部がスイッチ取付板の前面に突出されて取り付けられ、スイッチ取付板が化粧台本体に取り付けられた洗面化粧台において、スイッチ取付板よりも大きく化粧台本体と同じ仕様の仕上げがなされたスイッチカバーを化粧台本体に取り付けてスイッチ取付板を覆い、スイッチカバーに形成した孔に配線器具を臨ませるような構成となっている。また、下記特許文献２に記載されたミラーキャビネットは、仕切り部に仕切られて複数の収納空間が形成された収納部と、前記収納部の表面に設けられたミラーとを備えたミラーキャビネットにおいて、前記仕切り部に小物物品を収納するための小物収納凹部を設けたものである。
【特許文献１】特開２００２−２８２１４４公報
【特許文献２】特開２００７−２０２９６３公報
【発明の開示】
【発明が解決しようとする課題】
【０００３】
上記特許文献１に記載されている洗面化粧台は、配線器具の廻りを化粧台本体と仕上がり仕様が同様なスイッチカバーにて覆うことで一体感を高めて外観を高め、このようにする場合に化粧台本体との間の隙間が生じるのを防止し、ごみや水の浸入を確実に防止し、所定の外観を長期にわたって維持することができるよう構成されたものである。また、上記特許文献２に記載されたミラーキャビネットは、収納部に設けられたコンセントに接続された電気機器のコードによって収納空間が小さくなるのを防止するため、電気器具のコード等の小物物品を収納するための小物収納凹部を設けたものである。
【０００４】
上記特許文献１に記載の洗面化粧台においては、コンセントやスイッチのような配線器具は化粧台本体の外部に露出しており、外観上好ましくないものであった。また、洗面器からの水はねなどによる漏電の恐れもあり、安全面においても問題があった。また、上記特許文献２に記載のミラーキャビネットにおいては、コンセントが収納部に設けられていることから、コンセントに接続した電気機器を使用する際には、ミラー扉を開放しておく必要があった。そのため、ドライヤー等、鏡を見ながら使用したい電気機器を使用する際には、非常に不便なものであった。
【０００５】
そこで本発明では、化粧鏡を閉じたまま電気機器を使用することができ、猶且つ外観及び安全面上好ましいミラーキャビネットを提供することを目的とする。
【課題を解決するための手段】
【０００６】
上記課題を解決するために本発明に係るミラーキャビネットは、天板と、側板と、背板と、底板とを備えた収納空間を有する収納部と、前記収納部の前面に開閉可能に設けられた鏡扉とを備えたミラーキャビネットであって、前記ミラーキャビネットは、前記収納部に第一の配電機器を備え、前記収納部は、前記鏡扉が閉じた状態において、前記ミラーキャビネットの外方に向けて開口した開口部を備えるよう構成されている。
【発明の効果】
【０００７】
本発明によれば、化粧鏡を閉じたまま電気機器を使用することができ、猶且つ外観及び安全面上好ましいミラーキャビネットを提供することができる。
【発明を実施するための最良の形態】
【０００８】
本発明を実施するための最良の形態を説明するのに先立って、本発明の作用及び効果について説明する。
【０００９】
本発明に係るミラーキャビネットは、天板と、側板と、背板と、底板とを備えた収納空間を有する収納部と、前記収納部の前面に開閉可能に設けられた鏡扉とを備えたミラーキャビネットであって、前記ミラーキャビネットは、前記収納部に第一の配電機器を備え、前記収納部は、前記鏡扉が閉じた状態において、前記ミラーキャビネットの外方に向けて開口した開口部を備えるよう構成されている。このような構成とすることで、コンセントやスイッチ等の配電機器を、鏡扉が閉じた状態においても利用することが可能となる。配電機器がコンセントだった場合は、配電機器にドライヤー等の電化製品を接続して使用する際、鏡扉を閉じても、電化製品の電気配線は、収納部に設けられた開口部を通ることができるため、鏡扉を閉めても電化製品の電気配線は、ミラーキャビネット外部にある電化製品本体と配電機器とを繋ぐことができる。これにより使用者は、鏡扉を閉めて、自分の姿を映しながら、ドライヤー等の電気接続が必要な電化製品を使用することができるため、化粧や髪型のセットなどの作業を、非常に効果的に行うことができる。
【００１０】
また、本発明に係るミラーキャビネットは、前記収納空間は、仕切り部材によって複数の収納空間に区切られており、前記開口部は、前記複数の収納空間のうち、前記第一の配電機器が備えられた収納空間に設けられた構成となっていることも好ましい。このような構成とすることで、仕切り部材によって区切られた、上下左右と背面を囲まれた収納空間には歯ブラシや化粧品等の、ミラーキャビネットを使用する際に利用する物品を載置・保管しておくことができるため、ミラーキャビネットを更に有用に利用することができる。
【００１１】
また、本発明に係るミラーキャビネットは、前記複数の収納空間の一部に第二の配電機器を備え、前記第二の配電機器を備えた収納空間は、前記鏡扉が閉じた状態において、少なくとも前面と底面を囲まれている構成とすることも好ましい。このような構成とすることで、ミラーキャビネットの鏡扉を閉じた状態で利用した、配電機器に接続しながら使用する電化製品は第一の配電機器に、電動髭剃りの充電器など、通常は載置しておくもので、猶且つ外部から隠したい電化製品は第二の配電機器に接続することで、役割の違う電化製品についても効率的に活用しながら、ミラーキャビネットを利用することができる。
【００１２】
引き続いて、上記本発明を実施するための最良の形態について、添付図面を参照しながら説明する。説明の理解を容易にするため、各図面において同一の構成要素に対しては可能な限り同一の符号を付して、重複する説明は省略する。
【００１３】
図１と図２は、本実施形態に係るミラーキャビネットＭＣを示す斜視図である。ミラーキャビネットMCは、物品を収納するための収納空間を有する収納部１０と、その前面に設けられた開閉可能な鏡扉２０を備えている。図１は鏡扉２０を閉じた状態、図２は鏡扉２０を展開した状態を示す図である。図３は、収納部１０を正面から見た正面図である。収納部１０は天板１１と側板１２、底板１３、背板１４と、後述する照明部５０を備えている。収納部１０は、収納部１０の内部の収納空間を縦に区切るための仕切り部材である仕切り板１５を、収納部１０の上端から下端に亘って備えている。本実施例において、仕切り板１５は２枚備えられており、収納部１０の収納空間を３つに分割した構成となっている。収納部１０の収納空間には、仕切り部材である棚板１６が、仕切り板１５と側板１２、あるいは仕切り板１５同士に亘って複数枚備えられている。仕切り板１５によって縦方向に区切られた収納空間を、棚板１６によって更に横方向にそれぞれ区切った構成となっている。本実施例においては、収納部１０の収納空間は2枚の仕切り板１５と、11枚の棚板１６によって、複数の収納空間に区切られた構成となっている。また、本実施例においては、棚板１６には、棚板１６に載置した物品の落下を防ぐための、コ字状の線材で構成されたガードバー１６ａが備えられている。また、収納部１０には、ミラーキャビネットＭＣを利用する際に使用するための歯ブラシを載置する歯ブラシ台６０が備えられている。
【００１４】
また、本実施例においては、ミラーキャビネットＭＣの下方には洗面化粧台ＤＲが備えられている。洗面化粧台ＤＲは、洗面化粧台収納部９４を備え、その上方にカウンター９３を備えている。カウンター９３には洗面ボウル９２と水栓９１が備えられており、手洗いや洗顔、洗髪等の作業を、鏡扉２０を見ながら行うことができるものである。
【００１５】
本実施例において、収納部１０の収納空間の右下に位置する収納空間１００は、仕切り板１５と棚１６、背板１４によって構成され、第一の配線機器である配線機器３０を備えている。配線機器３０は、例えばミラーキャビネットＭＣの照明や鏡扉２０に設けられた曇り止めのスイッチや、ドライヤー等に電気を供給するためのコンセントなどである。配線機器３０が備えられた収納空間１００は、底板１３を有していない。すなわち、配線機器３０が備えられた収納空間１００は、底面に開口部を有しており、鏡扉２０を閉じた状態においても、ミラーキャビネットＭＣの外部と収納空間１００とが連通した構成となっている。本実施例においては、収納空間１００は側板１２と仕切り板１５、棚板１６とによって構成されているが、底面を構成するものとして底板１３を加えて、上下左右と奥側を囲まれた空間としてもよい。その場合は、底板１３の一部を切りかく（例えば、底板１３に穴を設けたり、底板１３を前方から後方にかけてえぐる）ような構成としてもよい。この場合は、その切り欠いた部分は、ドライヤー等に電化製品に電気を供給するためのコードが十分に通る大きさである必要がある。収納空間１００が、収納空間１００とミラーキャビネットＭＣの外部とを連通する開口部を備えているが、その開口部は鏡扉２０を閉じた状態においても開口したままである。
【００１６】
本実施例において、収納部１０の略中央にあたる、２枚の仕切り板１５と２枚の棚板１６、背板１４とで構成された収納空間２００には、第二の配線機器である配線機器４０が備えられている。具体的には、スイッチやコンセントなどの配設機器４０が、仕切り板１５と棚板１６、背板１４に固定されている。なお、配線機器４０が備えられる場所はこの位置である必要は無く、上下左右と奥側とを囲まれた収納空間、則ち底面を有している収納空間であれば、他の位置であっても構わない。
【００１７】
また、本実施例において、収納部１０の略中央下端にあたる部分には、使用者やミラーキャビネットＭＣの下方を照らすための照明本体５１を有する照明部５０が設けられている。照明部５０の底面は、収納空間１００とほぼ同じ高さに位置する。すなわち、収納空間１００と照明部５０とは、高さをほぼ同じくして隣接している。照明部５０は照明本体５１を照明部前板５２によって前方から隠蔽して、底面を半透明の部材によって構成された照明部底板５３によって構成している。照明部底板５３は、底板１３と高さを同じくしている。照明部５０の内部に備えられた照明本体５１は、照明部底板５３を介して、ミラーキャビネットＭＣの下方から光を照射する構成となっている。すなわち照明部５０は、収納空間１００と収納部１０の左側下端に位置する、底板１３を有する収納空間３００と同じ高さに位置しているため、収納部１０の下端は略面一となっている。このような構成とすることで、外観的にも非常に見栄えの良いミラーキャビネットとすることが出来る。
【００１８】
図４と図５は、本実施例におけるミラーキャビネットＭＣの断面図である。図４は、本実施例におけるミラーキャビネットMCのＡ−Ａ断面図、図５はＢ−Ｂ断面図である。鏡扉２０は、収納部１０の側板１２もしくは仕切り板１５に、蝶番２１によって開閉自在に取り付けられている。配設機器３０の前面と鏡扉２０との間には隙間が設けられているが、この隙間はドライヤー等の電化製品に設けられたアダプタ等が入る程度の隙間であれば良い。すなわち、隙間の大きさは、鏡扉２０を閉じた状態で電化製品を使用する際、配設機器３０に接続された電化製品の電気配線が収まる程度の大きさであれば良い。なお、本実施例においては、約６６ｍｍとなっている。
【００１９】
照明本体５１は鏡扉２０と背板１４との間のほぼ中央に設けられており、棚板１６の底面に固定されている。照明本体５１の前方には照明部前板５２が設けられているため、ミラーキャビネットＭＣを使用する使用者からは隠蔽された構成となっている。また、照明本体５１の下方にはすりガラス調の樹脂によってなる照明部底板５３が備えられている。照明本体５１から発せられた光は、照明部底板５３を通過し、ミラーキャビネットＭＣの下方を照らす構成となっている。なお、照明部底板５３はある程度光を透過すれば良いため、不透明もしくは透明の部材によって構成されることが好ましい。
【００２０】
隠蔽収納部５０は、カウンター１０の奥側の辺に沿って設けられており、その辺に沿って、隠蔽収納部５１、隠蔽収納部５２、隠蔽収納部５３、隠蔽収納部５４の４つの収納部に分割されている。
【００２１】
次に、本実施例の使用シーンについて説明する。
【００２２】
ミラーキャビネットＭＣの使用者は、ミラーキャビネットＭＣの鏡扉２０と向かい合うように立つこととなる。その際使用者は鏡扉２０に自分の姿を映しながら、化粧や髭剃りなどの作業を行うことができる。また、本実施例のように洗面化粧台ＤＲを備えていた場合は、洗顔や洗髪といった作業についても、鏡扉２０を見ながら行うことができる。
【００２３】
ミラーキャビネットＭＣには配設機器３０が設けられているため、使用者はミラーキャビネットＭＣを使用する際に、電化製品を利用することができる。ここでは、ドライヤーを利用する際の使用シーンについて説明を行う。
【００２４】
浴室若しくは洗面化粧台ＤＲを用いて洗髪を行った使用者がドライヤーを用いて髪を乾かす際、使用者はまずドライヤーの電気配線を配電機器３０に設けられたコンセントに接続する。接続の際には、鏡扉２０を開いた状態で接続しても良いし、配電機器３０の下方に開口部が設けられているため鏡扉２０を閉じたままでも接続が可能である。この際配電機器３０の前面と鏡扉２０との間には、電化製品のアダプタやコンセントが接続した状態においても、鏡扉２０が閉まるのに十分な間隔が設けられている。
【００２５】
使用者は、鏡扉２０を閉じた状態で配電機器３０に接続されたドライヤーを使用することができる。すなわち、使用者は、ドライヤーを使用している際、鏡扉２０を閉じたまま、つまりミラーキャビネットＭＣの前面を鏡として利用しながら、髪を乾かす等の作業を行うことができる。これにより、例えば髪型を整える際などにおいても、鏡扉２０に自分の姿を映しながら、その作業を行うことができる。従来であればミラーキャビネットＭＣの一部は鏡扉２０を軽く開いた状態でないと、電化製品の電気配線が鏡扉２０に挟まってしまっていたが、本実施例においては収納空間１００の下方に開口部が設けられているため、鏡扉２０を閉じた状態においても電気配線が挟まるような不具合は存在しない。また、鏡扉２０を閉じたままでもドライヤー等が利用できることから、使用者は鏡扉２０を正面から利用する際においても、鏡扉２０と正対した状態で、すなわち自分の姿を鏡扉２０に映しながら、ドライヤー等を使用することができる。
【００２６】
ところで、このようなミラーキャビネットを利用する際に用いる電化製品として、充電式の歯ブラシや電動髭剃りなどがある。これらの電化製品は電気配線が存在しないため、どこでも利用することができるが、ある程度使用した後には充電を行う必要がある。このとき、充電器は、電化製品を利用する場所に近くにあるほうが好ましい。
【００２７】
本実施例において、配設機器４０は、仕切り板１５と棚板１６、背板１４に囲まれた収納空間２００に設けられている。すなわち、配設機器３０が設けられた収納空間１００が鏡扉２０を閉じた際でも開口部を有しているのに対し、収納空間２００は周囲を囲まれた空間となっている。そのため、電動髭剃りなどの充電器を棚板１６に載置することが出来き、充電についても収納空間２００内で行うことができる。これにより、鏡扉２０を閉じた際に充電器若しくは充電中の電化製品は外部に露出することはないため、外観上見栄えが非常に向上する。このように、配設機器３０は、電気配線を有し、且つ鏡を見ながら利用したい電化製品のために、そして配設機器４０は、充電器等、載置するものであり、且つミラーキャビネットＭＣの外部に露出させたくない電化製品のためにと、使用目的を分けることにより、快適且つ効率的にミラーキャビネットＭＣを利用することができる。
【００２８】
また、本実施例のようにミラーキャビネットＭＣの下部に洗面化粧台が設けられていた場合、洗面化粧台を使用する際に発生する水はねは、化粧鏡２０に遮られることとなり、安全性も向上する。
【００２９】
上述した本実施例においては、第一の配電機器３０が備えられた収納空間１００の開口部は、底面側に設けられている。しかしながら、本発明はこの構成に限定されるものではなく、例えば図６に示すように、側板１２の一部を切り欠いたような構成としても良い。この他、第一の配電機器が備えられた収納空間とミラーキャビネットの外部とを連通するように開口部が設けられ、鏡扉を閉めた状態においても電化製品を第一の配電機器に接続して利用できるような構成であれば、本発明の範囲に含まれる。
【００３０】
また、上述した本実施例では、収納部１０を仕切るための棚板を11枚、仕切り板を2枚供えた構成としたが、これらの数は適宜選択することができる。その他、本発明の要旨を逸脱しない実施例との違いは、本発明の範囲に含まれる。
【図面の簡単な説明】
【００３１】
【図１】本実施例に係るミラーキャビネットを示す斜視図である。
【図２】図１のミラーキャビネットの鏡扉を展開した状態の拡大斜視図である。
【図３】本実施例に係るミラーキャビネットの鏡扉を外した状態の正面図である。
【図４】図３のＡ−Ａ断面図である。
【図５】図３のＢ−Ｂ断面図である。
【図６】本発明の他の実施例に係るミラーキャビネットを示す斜視図である。
【符号の説明】
【００３２】
ＭＣ…ミラーキャビネット
ＤＲ…洗面化粧台
１０…収納部
１１…天板
１２…側板
１３…底板
１４…背板
１５…仕切り板
１６…棚板
１６ａ…ガードバー
２０…鏡扉
２１…蝶番
３０、４０…配電機器
５０…照明部
５１…照明本体
５２…照明部前板
５３…照明部底板
９０…洗面化粧台収納部
９１…水栓
９２…洗面ボウル
９３…カウンタ
１００、２００、３００…収納空間
【図１】
2009131433.tif 000003
【図２】
2009131433.tif 000004
【図３】
2009131433.tif 000005
【図４】
2009131433.tif 000006
【図５】
2009131433.tif 000007
【図６】
2009131433.tif 000008